(57)【要約】【課題】  建築中の建屋の周囲等に仮設される足場に設備される足場用幅木装置について、製造コストを低くし、取付作業中の落下を確実に防止する。【解決手段】  支柱Ａの間に横材Ｂが掛渡された枠組構造に作業床となる布板Ｃが取付けられた足場に設備されるものである。足場の横材Ｂに取付けられる取付部材１と取付部材１に取付けられる幅木２とからなる。取付部材１は、布板Ｂよりも上方に位置する上方側の横材Ｂｂにクランプ１１で締付け固定されて上下方向に配設され取付けられる。幅木２は、取付部材１の下部に係止されて横方向に配設される。取付部材１と幅木２とには、幅木２の上下方向の係止位置を調整する高さ調整機構３が設けられている。【選択図】図１
2013011121.tif 000002
【特許請求の範囲】
【請求項１】
支柱の間に横材が掛渡された枠組構造に作業床となる布板が取付けられた足場に設備されるものであって、足場の横材に取付けられる取付部材と取付部材に取付けられる幅木とからなり、取付部材は布板よりも上方に位置する上方側の横材にクランプで締付け固定されて上下方向に配設され取付けられるものとされ、幅木は取付部材の下部に係止されて横方向に配設されるものとされ、取付部材と幅木とには幅木の上下方向の係止位置を調整する高さ調整機構が設けられていることを特徴とする足場用幅木装置。
【請求項２】
請求項１の足場用幅木装置において、高さ調整機構は取付部材，幅木の一方に設けられた係止突起と取付部材，幅木の他方に設けられ係止突起の係止位置を選択変更することのできる係止溝とからなることを特徴とする足場用幅木装置。
【請求項３】
請求項２の足場用幅木装置において、高さ調整機構の係止溝は係止突起が係止される複数の係止部と係止部が各係止部の間を移動するスライド部と係止部が着脱される着脱部とが設けられ、高さ調整機構の係合突起は係止溝の着脱部で離脱が許容され係止部，スライド部で離脱が阻止される抜止が設けられていることを特徴とする足場用幅木装置。
【請求項４】
請求項１〜３のいずれかの足場用幅木装置において、幅木は下部に布板に係止される振止が設けられていることを特徴とする足場用幅木装置。
【発明の詳細な説明】
【技術分野】
【０００１】
本発明は、建築中の建屋の周囲等に仮設される足場に設備される足場用幅木装置に係る技術分野に属する。
【背景技術】
【０００２】
最近、足場の安全性を確保する法的規制の強化を背景にして、足場の作業（歩行）空間の側方下部に板状の幅木が備えられるようになってきている。この幅木については、既存の足場に構造変更が要求されることがないように、足場を構成する部材に後付けで簡単に取付けできることが望まれている。
【０００３】
従来、幅木を足場に後付けで簡単に取付けできるようにすることを指向した技術としては、例えば、特許文献１に記載のものが知られている。
【０００４】
特許文献１には、支柱の間に横材が掛渡された枠組構造に作業床となる布板（踏板）が取付けられた足場に設備されるものであって、足場の横材に取付けられる取付部材と取付部材に固定された幅木とからなり、取付部材がバネを内蔵した伸縮構造を有して布板よりも上方に位置する手摺等の上方側の横材と布板とほぼ同高さに位置する梁等の下方側の横材とに係合されて上下方向に配設されて取付けられるものとされ、幅木が２箇所で取付部材の下部にそれぞれ固定されて横方向に配設されるものとされた足場用幅木装置が記載されている。
【０００５】
特許文献１に係る足場用幅木装置は、取付部材によって上下方側の横材の間に取付けられるようにすることで、足場を構成する部材を利用して後付けで簡単に取付けできるようにするものである。また、取付部材の伸縮構造によって、上下方側の横材の間隔に左右されずに、幅木を足場の作業空間の側方下部の一定位置に配置することができるようにするものである。
【先行技術文献】
【特許文献】
【０００６】
【特許文献１】特開２０１０−２２９６９９号公報
【発明の概要】
【発明が解決しようとする課題】
【０００７】
特許文献１に係る足場用幅木装置では、取付部材にバネを内蔵した伸縮構造が設けられ構造が複雑化しているため、製造コストが高くなるという問題点がある。また、足場への設備の際に２個の取付部材を片手でそれぞれ掴んで上下方側の横材に押込むように係合させて取付ける取付作業を行うことになるが、長尺の幅木が取付部材と一体化されていて全体の微妙な姿勢調整が困難なため、取付作業中に誤って落下させてしまうおそれがあるという問題点がある。
【０００８】
本発明は、このような問題点を考慮してなされたもので、製造コストが低く取付作業中の落下を確実に防止することのできる足場用幅木装置を提供することを課題とする。
【課題を解決するための手段】
【０００９】
前述の課題を解決するため、本発明に係る足場用幅木装置は、特許請求の範囲の各請求項に記載の手段を採用する。
【００１０】
即ち、請求項１では、支柱の間に横材が掛渡された枠組構造に作業床となる布板が取付けられた足場に設備されるものであって、足場の横材に取付けられる取付部材と取付部材に取付けられる幅木とからなり、取付部材は布板よりも上方に位置する上方側の横材にクランプで締付け固定されて上下方向に配設され取付けられるものとされ、幅木は取付部材の下部に係止されて横方向に配設されるものとされ、取付部材と幅木とには幅木の上下方向の係止位置を調整する高さ調整機構が設けられていることを特徴とする。
【００１１】
この手段では、取付部材をクランプで上方側の横材に締付け固定するようにことで、取付部材の下方側の横材との連係が不要とされバネを内蔵した伸縮構造のような複雑な構造が排除される。また、設備に際して横材に取付けられた取付部材に対して後行して幅木を直接掴んで係止させ取付けることになることから、幅木の姿勢を調整しながらの取付けが容易になるとともに取付部材が幅木の落下防止枠として機能する。
【００１２】
また、請求項２では、請求項１の足場用幅木装置において、高さ調整機構は取付部材，幅木の一方に設けられた係止突起と取付部材，幅木の他方に設けられ係止突起の係止位置を選択変更することのできる係止溝とからなることを特徴とする。
【００１３】
この手段では、高さ調整機構が簡素な構造の係止突起，係止溝で構成される。
【００１４】
また、請求項３では、請求項２の足場用幅木装置において、高さ調整機構の係止溝は係止突起が係止される複数の係止部と係止部が各係止部の間を移動するスライド部と係止部が着脱される着脱部とが設けられ、高さ調整機構の係合突起は係止溝の着脱部で離脱が許容され係止部，スライド部で離脱が阻止される抜止が設けられていることを特徴とする。
【００１５】
この手段では、高さ調整機構が係止突起の係止溝の着脱部以外での離脱を阻止するように構成される。
【００１６】
また、請求項４では、請求項１〜３のいずれかの足場用幅木装置において、幅木は下部に布板に係止される振止が設けられていることを特徴とする。
【００１７】
この手段では、幅木に人，物が衝突しても振止で取付部材，幅木の取付位置が変化するのを阻止することができる。
【発明の効果】
【００１８】
本発明に係る足場用幅木装置は、取付部材をクランプで上方側の横材に締付け固定するようにことで、取付部材の下方側の横材との連係が不要とされバネを内蔵した伸縮構造のような複雑な構造が排除されるため、製造コストが低くなる効果がある。また、設備に際して横材に取付けられた取付部材に対して後行して幅木を直接掴んで係止させ取付けることになることから、幅木の姿勢を調整しながらの取付けが容易になるとともに取付部材が幅木の落下防止枠として機能するため、取付作業中の落下を確実に防止することができる効果がある。
【００１９】
さらに、請求項２として、高さ調整機構が簡素な構造の係止突起，係止溝で構成されるため、製造コストがより低くなる効果がある。
【００２０】
さらに、請求項３として、高さ調整機構が係止突起の係止溝の着脱部以外での離脱を阻止するように構成されるため、幅木の取付部材からの不測の離脱が阻止される効果がある。
【００２１】
さらに、請求項４として、幅木に人，物が衝突しても振止で取付部材，幅木の取付位置が変化するのを阻止することができるため、設備強度が高くなる効果がある。
【図面の簡単な説明】
【００２２】
【図１】発明に係る足場用幅木装置を実施するための設備状態の断面図であり、左右に異なる設備状態が対比されている。
【図２】図１の左側に図示された状態の側面図である。
【図３】図１の左側に図示された状態の取付作業を示す斜視図である。
【図４】図３の拡大された断面図である。
【発明を実施するための形態】
【００２３】
以下、本発明に係る足場用幅木装置を実施するための形態を図面に基づいて説明する。
【００２４】
この形態では、図３に示すように、建屋の周囲等に地上から立設された支柱Ａの間に横材Ｂが掛渡された枠組構造に作業床となる布板Ｃが取付けられた足場に設備されるものを示してある。
【００２５】
この足場では、支柱Ａの外周面に軸中心に対して１８０度の角度を介して１対の差込受（こま）Ｄが固定され、横材Ｂに固定された差込片Ｅを差込受Ｄに差込むことによって、ワンタッチで横材Ｂを支柱Ａに組付けることができるようになっている。なお、差込受Ｄについては、取付け高さを異ならせて他の１対と軸中心に対して９０度の角度を介してさらにもう１対が固定され、足場の隅（角）部での支柱Ａ，横材Ｂの組付けを可能にしている。また、布板Ｃは、内側（建屋側），外側の支柱Ａの間に組付けられた梁である下方側の横材Ｂａに掛渡されたアームＦによって下支えされている。
【００２６】
この形態は、図１，図２に示すように、取付部材１，幅木２，高さ調整機構３，振止４の各部で構成されている。
【００２７】
取付部材１は、布板Ｃよりも上方に位置して布板Ｃの上に形成される作業空間に沿った側方に配置されている中さんである上方側の横材Ｂｂに締付け固定されるクランプ１１と、クランプ１１から階段形に下方に延びた取付板１２とからなる。クランプ１１は、パイプ形の中さんである上方側の横材Ｃａの外周面に嵌合されボルト締めされる構造からなる。取付板１２は、布板Ｃ側に突出する格好の階段形に形成され、軽量化のために不要部分を切除して両端上部にそれぞれクランプ１１が固定された窓枠形になっている。
【００２８】
幅木２は、長尺板形に形成され、布板Ｃの側方で垂直上方に延びる本体部２１の上端部付近に外側へ傾斜した傾斜部２２が設けられて取付部材１の取付板１２（幅木２との係止部分）を被覆するようになっている。
【００２９】
高さ調整機構３は、取付部材１，幅木２の係止構造を兼ねたもので、係止突起３１，係止溝３２からなる。係止突起３１は、相対的に径の小さい軸部３１ａの先端部に相対的に径の大きな抜止（頭部）３１ｂが設けられたボルト形からなるもので、取付部材１の取付板１２の左右両端部にそれぞれ上下に１個ずつの合計４個が固定されている。係止溝３２は、上下方向に配設されたスライド部３２ａに係止部３２ｂ，離脱部３２ｃが直交方向に屈曲連通され、幅木２の本体部２１の左右両端部に取付部材１の取付板１２に固定された係止突起３１と対応するように穿孔されている。係止溝３２のスライド部３２ａは、係止突起３１の軸部３１ａの移動を可能にするが係止突起３１の抜止３１ｂの抜け離脱を阻止する幅に形成されている。係止溝３２の係止部３２ｂは、係止突起３１の軸部３１ａを係止させるが係止突起３１の抜止３１ｂの抜け離脱を阻止する形状，大きさに形成され、係止突起３１に対応した間隔で３個が設けられている。係止溝３２の離脱部３２ｃは、係止突起３１の軸部３１ａ，抜止３１ｂの抜け離脱を許容する形状，大きさに形成され、係止突起３１に対応した間隔で２個が設けられている。
【００３０】
振止４は、幅木２の本体部２１の下端部に固定されたベース４１に操作片４２によって上下の２つの位置に選択的に係止される昇降ピン４３が支持されたもので、幅木２の本体部２１の左右両端部にそれぞれ設けられている。
【００３１】
この形態によると、取付部材１から特許文献１に係る足場用幅木装置の伸縮構造が排除されている。従って、構造が簡素化されて製造コストが安価になっている。また、高さ調整機構３が簡素な構造の係止突起３１，係止溝３２で構成されることも、製造コストの低減に寄与する。
【００３２】
この形態を足場に設備するには、取付部材１の取付けを先行させ、幅木２の取付けを後行させることになる。
【００３３】
即ち、図３，図４に示すように、取付部材１のクランプ１１を上方側の横材Ｂｂに締付け固定して取付板１２を布板Ｃ側に突出する格好に上下方向に配置する。
【００３４】
この後、幅木２の本体部２１を取付部材１の取付板１２に当接させるようにして、取付部材１の取付板１２に固定された高さ調整機構３の係止突起３１を幅木２の本体部２１に穿孔されている高さ調整機構３の係止溝３２の離脱部３２ｃに通過させる。
【００３５】
続いて、高さ調整機構３の係止突起３１の軸部３１ａを高さ調整機構３の係止溝３２のスライド部３２ａで移動させて係止部３２ｂに係止させる。
【００３６】
このとき、幅木２を直接掴んで係止させ取付けることができ、幅木２の姿勢を調整しながらの取付けが容易になる。また、取付部材１の取付けが先行され取付部材１が幅木２の落下防止枠として機能するため、取付作業中に幅木２を落下させるようなことはない。
【００３７】
続いて、振止４の操作片４２を操作して昇降ピン４３を下方に降下させ布板Ｃに係止させる。布板Ｃへの係止については、例えば布板Ｃが格子状，メッシュ状であれば編目を利用して係止させる。
【００３８】
取付部材１に対して幅木２が横方向に配置されて係止された状態は、高さ調整機構３の係止突起３１の抜止３１と高さ調整機構３の係止溝３２の係止部３２ｂとの抜止め係止によって確実に保持され、作業空間の安全性の確保に寄与する。なお、幅木２の傾斜部２２が取付部材１の取付板１２を被覆する格好となることから、取付部材１の幅木２との係止部分に建築資材，工具等の挟込みが生じて取付部材１から幅木２が不測に脱落するようなことはない。また、幅木２が振止４によって布板Ｃに支持されるため、幅木２に作業員の足や建築資材が衝突しても、取付部材１から幅木２が簡単に脱落するようなことはない。
【００３９】
さらに、この形態では、図１に示すように、差込受Ｄ，差込片Ｅの構造から足場の隅部を介して布板Ｃの設置面に段差Ｓが生ずることになるが、高さ調整機構３の係止突起３１が係止される係止溝３２の係止部３２ｂを選択変更することによって、布板Ｃの設置面からの布板Ｃの高さＨを同一にすることができる。即ち、特許文献１に係る足場用幅木装置と同様に、幅木２の足場の作業空間の側方下部の一定位置に配置することができる。
【００４０】
以上、図示した形態の外に、高さ調整機構３の係止突起３１，係止溝３２を取付部材１，幅木２の逆側に設ける構成とすることも可能である。この形態によると、幅木２の作業空間側へ突出物が形成されるのを避けることができる利点がある。
【産業上の利用可能性】
【００４１】
本発明に係る足場用幅木装置は、建築中の建屋の周囲等に仮設されるもの以外の広範な足場への設備が可能である。  
【符号の説明】
【００４２】
１   
取付部材
１１          クランプ
１２          取付板
２            幅木
３            高さ調整機構
３１          係止突起
３１ａ        軸部
３１ｂ        抜止
３２          係止溝
３２ａ        スライド部
３２ｂ        係止部
３２ｃ        離脱部
４            振止
Ａ            支柱
Ｂ            横材
Ｃ            布板                              
【図１】
2013011121.tif 000003
【図２】
2013011121.tif 000004
【図３】
2013011121.tif 000005
【図４】
2013011121.tif 000006